(57)【特許請求の範囲】
【請求項１】
映像を表示する液晶ディスプレイと、
前記液晶ディスプレイの上方に位置し、前記液晶ディスプレイを保護する第二保護部材と、
前記第二保護部材の上方に位置する接着部材と、
前記接着部材の上方に位置し、外部に液晶ディスプレイの一部を露出させて前記液晶ディスプレイを保護する第一保護部材と、
当該第一保護部材と一体形成された外装と、を備え、
前記第二保護部材は、中央部分に凹部を有し、前記第一保護部材と前記第二保護部材とが密接することにより、前記凹部により発生する空間が密閉空間となる携帯端末において、
前記第二保護部材が、前記接着部材を介して前記外装の内面と接着する接着面において、前記密閉空間と前記第二保護部材の外部との通気を可能とする一または複数の溝部を備え、
前記接着部材の、前記溝部の上方に位置する部分には隙間が形成されていることを特徴とする携帯端末。
【発明の詳細な説明】
【技術分野】
【０００１】
本発明は、無線通信用の携帯端末に関するものであり、特に携帯端末の表示部を保護するための保護部材の構造に関する。
【背景技術】
【０００２】
近年、通信用の携帯端末（例えば携帯電話やＰＨＳ等）の普及に伴い、携帯端末の高機能化および小型化が進められている。携帯端末において各種情報を表示するための表示部として、ＬＣＤ（Liquid Crystal Display−液晶ディスプレイ）が広く用いられている。ＬＣＤは二枚のガラス板の間に特殊な液体を封入し、電圧をかけることによって光の透過率を増減させることで映像表示を行う装置である。液晶自体は発光しないため、暗いところでは背後に設けられた蛍光燈（バックライト）の光を使って表示を行なう。通常のディスプレイと比較して薄くて軽いため、主に携帯電話やノートパソコン、薄型テレビなどの小型電子機器において広く利用されている。
【０００３】
上記のＬＣＤを表示部として用いた携帯端末においては、そのＬＣＤを保護する部材として、プラスチック等を主成分とする透明部材（保護パネル）が用いられることが多い。前記の保護部材に代表されるような携帯端末の外装部材は、携帯端末内部の機器が外部から受ける様々な障害（例えば衝撃や浸水等）を未然に防ぐために、多種多様な保護機能を備えている。
上記の問題に関連して特許文献１においては、多方向操作キーからの水蒸気の浸入を防止することができるケーシング構造が開示されている。特許文献１に開示されているケーシング構造は、ＬＣＤに隣接して多方向操作キーが設けられている電子機器のケーシング構造であって、ケーシングに形成されたキー孔と、このキー孔に設けられる多方向操作キーとの間隙に、吸放湿性基材が設けられ、ＬＣＤへの水蒸気の浸入を防止することを特徴としている。また、ケーシングに形成されたキー孔の周縁と、このキー孔に設けられる多方向操作キーとの少なくともいずれか一方に、吸放湿性基材が貼設されていることを特徴としている。
上記の特許文献１の発明によれば、キー孔と、多方向操作キーとの間隙からの水蒸気を、吸放湿性基材が吸湿することとなるので、ＬＣＤへの水蒸気の浸入を防止することが可能である。
【特許文献１】特開２００２−２８０７５６号公報
【発明の開示】
【発明が解決しようとする課題】
【０００４】
しかしながら上記の特許文献１に開示されている携帯端末においては、携帯端末内部に吸放湿性基材を新たに設ける必要があるため、実施にコストがかかるという問題があった。また、吸放湿性基材の存在により、携帯端末の内部構造の設計に制約がかかる可能性があるという問題もあった。上記問題に関連して、ＬＣＤを保護する保護部材を二重化した（複数の保護部材を備えた）携帯端末が存在する。前記の携帯端末においては、保護部材を二重化することにより保護性能を向上させると共に、携帯端末のデザイン（外観）を設計する際の自由度を向上させることが可能である。
【０００５】
しかしながら二重構造の保護部材を用いた場合、保護部材間の空間（密閉空間）に異物（例えば水蒸気等）が侵入した場合、密閉空間から異物の吸湿が行なえないという問題があった。この結果、例えば外気と携帯端末内部との気温に格差が生じた場合に、保護部材が結露してＬＣＤが視認しにくくなるという問題があった。
【０００６】
本発明は、上記の問題を解決するためになされたものであって、その目的は、表示部に複数の保護部材を備えた携帯端末において、複数の保護部材の隙間に水蒸気等の異物が侵入した場合においても、通常通りの表示を行うことが可能な表示部を備えた携帯端末を提供することにある。
【課題を解決するための手段】
【０００７】
上記目的を達成するために本発明の携帯端末は、映像を表示する液晶ディスプレイと、前記液晶ディスプレイの上方に位置し、前記液晶ディスプレイを保護する第二保護部材と、前記第二保護部材の上方に位置する接着部材と、前記接着部材の上方に位置し、外部に液晶ディスプレイの一部を露出させて前記液晶ディスプレイを保護する第一保護部材と、当該第一保護部材と一体形成された外装と、を備え、前記第二保護部材は、中央部分に凹部を有し、前記第一保護部材と前記第二保護部材とが密接することにより、前記凹部により発生する空間が密閉空間となる携帯端末において、前記第二保護部材が、前記接着部材を介して前記外装の内面と接着する接着面において、前記密閉空間と前記第二保護部材の外部との通気を可能とする一または複数の溝部を備え、前記接着部材の、前記溝部の上方に位置する部分には隙間が形成されていることを特徴とする。
この構成によると、本発明の携帯電話（携帯端末）は、液晶ディスプレイと、液晶ディスプレイを保護する外装部材であるウインドウ（第一保護部材）と、液晶ディスプレイを保護する内部部材である保護パネル（第二保護部材）とを備えている。保護パネルは外装内側に粘着シート（接着部材）を介して接着されており、外装及びウインドウと物理的に密接している。また保護パネルはその中央部が凹んでいるため、ウインドウとの間に密閉空間ができるようになっている。上記の構成において、保護パネルの上面（携帯端末外側）の一部が削られていることにより、保護パネルに溝部が設けられている。これにより、ウインドウと保護パネルとが密接している状態において、溝部が前記密閉空間と保護パネル外部との通気を可能とする通気口の役割を果たすようになっている。
【発明の効果】
【０００９】
本発明の構成によれば、ＬＣＤを保護する複数の保護部材の隙間に水蒸気等の異物が侵入したとしても、通気口による空気の対流が存在するため、外部に対して異物を排出することが可能である。又、第二保護部材に設けた溝部と、溝部の上方に接着部材の隙間が存在することで通気を行う空間が広がり密閉空間に水蒸気が溜まるといった事態を回避することが出来る。
【発明を実施するための最良の形態】
【００１１】
以下に、本発明の携帯端末について、図面を参照しつつ説明する。
［実施の形態］
〈１．携帯端末の全体構成について〉
ここで、本発明の携帯電話（携帯端末）１の全体構成を、図５の斜視図を用いながら説明する。
【００１２】
図５の斜視図に示すように、本発明の携帯電話１は、上部筐体１０と下部筐体２０から構成されている。上部筐体１０と下部筐体２０とは、ヒンジ３０で開閉自在に連結されており、折り畳みを行うことが可能である。上部筐体はさらに、メインキャビネット１１０と、サブキャビネット１２０とに分けることができる。
【００１３】
メインキャビネット１１０には、メインウインドウ（不図示）が組み込まれている。メインウインドウは、ＬＣＤを使用して携帯電話１が持つ各種情報を標示するためのメイン表示部（不図示）を保護するための保護部材である。またサブキャビネット１２０には、サブウインドウ１２１、撮像部１２２などが組み込まれている。
サブウインドウ１２１は、携帯電話１が持つ各種情報を簡易表示するためのサブ表示部を保護するための保護部材である。サブ表示部はメイン表示部と比較して小型かつ低機能のＬＣＤが用いられており、表示できる情報量もメイン表示部より少ない。しかし逆に、消費する電力が少ないという特徴を持つ。従って、サブウインドウ１２１の大きさはメインウインドウより小さいサイズとなっている。撮像部１２２は、ＣＣＤ（Charge Coupled Devices）センサー或いはＣＭＯＳ（Complementary Metal Oxide Semiconductor）センサーなどを用いて固体の撮像を行う光学撮像装置である。
【００１４】
下部筐体２０には、アンテナ（不図示）、バッテリー収納部２１０、バッテリー（不図示）、通話口（不図示）などが組み込まれている。アンテナは携帯電話１が通信を行う際の各種電波の送受信を行うための発信器である。バッテリー収納部は携帯電話１の電源であるバッテリーを収納するための部材である。通話口は、ユーザーが通話を行う際に音声を入力するための入力装置である。
〈２．従来のサブキャビネットの構成について〉
ここで、従来の携帯電話１におけるサブキャビネット１２０の構成について、図６および図７の斜視図を用いながら説明する。
図６は、携帯電話１からサブキャビネット１２０を取り外し、装置内部側から見た場合の斜視図である。図７は、携帯電話１からサブキャビネット１２０を取り外し、かつサブキャビネット１２０を中央付近で横方向に断材した場合の断面図である。図６に示すように、下部キャビネット１２０は、その裏面に保護パネル（第二保護部材）１２３を備えている。保護パネル１２３は、例えばプラスチック等の透明部材を材質とする保護部材であり、前述のサブウインドウ１２１と同様にＬＣＤを外部から保護すると共に、ユーザーがＬＣＤを視認するための透明性を備えた部材である。
保護パネル１２３が携帯電話１に装着される方法を、図７を用いて説明する。図７に示すように、保護パネル１２３は粘着シート（接着部材）１２４により、サブキャビネット１２０の裏面に接着され、固定される。粘着シートは１２４、例えば保護パネル１２３の外側表面と同様の形をした粘着性を持つシートであり、サブキャビネット１２０と保護パネル１２３との接着を行う。なお、保護パネル１２３は、ウインドウ１２１と接触することによりその保護性及び透過性を低下させるのを防ぐため、携帯電話１の内側に対して湾曲構造をとっている（図７参照）。これにより、ウインドウ１２１と保護パネル１２３との間には密閉空間１２５が存在するようになっている。
以上、従来のサブキャビネット１２０の構成について説明したが、上記構成によれば、サブウインド１２１と保護パネル１２３の間の密閉空間１２５が発生する。このため、万が一何らかの要因により密閉空間１２５に水蒸気等の異物が侵入してしまった場合に、密閉空間１２５より水蒸気の除去を行うことができない。これにより、例えば密閉空間１２５と携帯電話１外部との気温差が大きくなった場合に、サブウインド１２１或いは保護パネル１２３が結露してしまい、ユーザーがＬＣＤを視認するのに支障をきたすという問題があった。
〈３．本発明のサブキャビネットの構成について〉
ここで、本発明の携帯電話１におけるサブキャビネット１２０の構成について、図１及び図２の斜視図を用いながら説明する。
図１は、携帯電話１からサブキャビネット１２０を構成する各部材を取り外し、各部材を装置外側から見た場合の斜視図である。図１に示すようにサブキャビネット１２０は、少なくともサブウインドウ１２１、保護パネル１２３、及び粘着シート１２４を含むように構成されている。また、図２は、携帯電話１からサブキャビネット１２０を構成する各部材を取り外し、各部材を装置内側から見た場合の斜視図である。各部材の内容については、図１と同様であるため説明を省略する。
図１及び図２で示されているように、本発明の保護パネル１２３は、複数（図１及び図２の例では四つ）に分断された粘着シート１２４により、サブキャビネット１２０の内側に接着される。
本発明の保護パネル１２３の詳細について、図３及び図４を用いて説明する。図３は保護パネル１２３上面（携帯電話１の外側）の詳細を示した斜視図である。図４は、図３の一部を拡大し、保護パネル１２３に設けられた溝部１２３ａを示した斜視図である。図３に示されているように、保護パネル１２３はその上面の一部（図３の例では、四角形の形状をしている保護パネル１２３各辺の中央部）に溝部１２３ａが設けられている。溝部１２３ａは、保護パネル１２３中央に設けられた凹みである凹部１２３ｂから保護パネル１２３の外縁まで設けられている。
上記の構造の保護パネル１２３によれば、図７に示すように保護パネル１２３が粘着シート１２４によりサブキャビネット１２０に接着されたとしても、保護パネル１２３とサブキャビネット１２０及びサブウインドウ１２１との間において、溝部１２３ａにより通気口（凹部１２３ｂと保護パネル１２３外部との通気を行う空間）が形成されることとなり、空気の対流が発生する。
次に本発明の粘着シート１２４の詳細について、図１及び図２を用いて説明する。図３に示されているように、粘着シート１２４は複数の部材に分断された粘着性を持つ部材であり、サブキャビネット１２０と保護パネル１２３との接着を行うために用いられる。粘着シート１２４はその両面に接着剤（例えばアクリル樹脂やフェノール樹脂等を原料とする接着剤）が塗布されている。また、各粘着シート１２４は互いに接触することなく、隙間１２４ａを保持した状態で、サブキャビネット１２０と保護パネル１２３との接着を行う。
上記の構造の粘着シート１２４によれば、図７に示すように保護パネル１２３が粘着シート１２４によりサブキャビネット１２０に接着されたとしても、サブキャビネット１２０と保護パネル１２３との接着面において、各粘着シート１２４の間における隙間１２４ａにより通気口が形成されることとなり、空気の対流が発生する。また、粘着シート１２４が複数の部材に分断されていることにより、粘着シート１２４が溝部１２３ａと接触することがない。
〈４．本発明の種々ある特徴について〉
本実施形態によると、保護パネル１２３はその上面の一部に溝部１２３ａが設けられていることにより、保護パネル１２３が粘着シート１２４によりサブキャビネット１２０に接着された場合に、保護パネル１２３とサブキャビネット１２０及びサブウインドウ１２１との間において、溝部１２３ａにより通気口が形成される構造となっている。
従ってこの通気口により、保護パネル１２３とサブキャビネット１２０及びサブウインドウ１２１との間にできる空間（通気口）に空気の対流を発生させることができる。このため、万が一密閉空間１２５に水蒸気等が侵入したとしても、空気の対流により水蒸気等を除去することが可能である。これにより、例えば密閉空間１２５と外気との温度差によりサブウインドウ１２１または保護パネル１２３が結露して曇り、結果としてユーザーがＬＣＤを視認しにくくなるといった障害を防止することができる。
また本実施形態によると、サブキャビネット１２０と保護パネル１２３との接着面において、各粘着シート１２４の間に隙間１２４ａが形成されることにより、空気の対流が発生する。また、粘着シート１２４が複数の部材に分断されていることにより、粘着シート１２４が溝部１２３ａと接触することがない。粘着シート１２４は柔軟性を保持しているため、溝部１２３ａとの接触によりその凹部を塞いでしまう可能性がある。しかし上記の構成によれば溝部１２３ａと接触することがなため、溝部１２３ａ（ひいては溝部１２３ａによる通気口）を塞いでしまうといった弊害を防止することができる。
従って通気口を確実に確保できるため、万が一密閉空間１２５に水蒸気等が侵入したとしても、外部ウインドウ１２１または保護パネル１２３が結露して曇り、結果としてユーザーがＬＣＤを視認しにくくなるといった事態を防止することができる。
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００１５】
例えば前述した実施形態の機能を実現する保護部材及び接着部材が、携帯電話以外の電子機器において、保護部材間の通気性を確保するために用いられたとしても、その効果が得られることは言うまでもない。この場合、保護部材及び接着部材により接着される複数の保護部材自体が、前述した実施形態の機能を実現することになり、その保護部材及び接着部材を備えた電子機器は本発明を構成することになる。
【００１６】
なお、上記の保護部材及び接着部材を備えた電子機器としては、例えば、ＰＨＳ、ＰＤＡ、ノートパソコン、液晶テレビ、デジタルカメラ等が挙げられる。
また、本実施形態では、保護部材に対して通気性を持たせるための部材加工方法として、保護部材の各辺中央に溝部を設けているが、これとは異なる箇所に溝部を設けたとしても、本発明と同様の効果が得られることは言うまでもない。
また、本実施形態では、接着部材に対して通気性を持たせるための部材加工方法として、接着部材を各辺中央で断材して隙間を設けているが、これとは異なる箇所において接着部材を断材することにより隙間を設けたとしても、本発明と同様の効果が得られることは言うまでもない。
また本実施形態では、保護部材が設置される場所としてサブ表示部を例にとって説明を行っているが、メイン表示部等の他表示部において本発明の保護部材の構成が用いられたとしても、同様の効果が得られることは言うまでもない。
【図面の簡単な説明】
【００１７】
【図１】本発明の携帯電話のサブキャビネットを構成する部材の一部を装置外側からみた場合の斜視図である。
【図２】本発明の携帯電話のサブキャビネットを構成する部材の一部を装置内側からみた場合の斜視図である。
【図３】本発明の携帯電話の保護パネルを示した斜視図である。
【図４】本発明の携帯電話の保護パネルの溝部を示した斜視図である。
【図５】本発明の携帯電話の外観を示した斜視図である。
【図６】従来の携帯電話のサブキャビネットを構成する部材の一部を装置内側からみた場合の斜視図である。
【図７】従来の携帯電話のサブキャビネットの一部を横方向に切断した場合の切断面を示した断面図である。
【符号の説明】
【００１８】
１        携帯電話（携帯端末）
１０      上部筐体
２０      下部筐体
１１０    メインキャビネット
１２０    サブキャビネット
１２１    サブウインドウ（第一保護部材）
１２３    保護パネル（第二保護部材）
１２３ａ  溝部
１２３ｂ  凹部
１２４    粘着シート（接着部材）
１２４ａ  隙間
１２５    密閉空間
【図１】
0004540599.tif 000002
【図２】
0004540599.tif 000003
【図３】
0004540599.tif 000004
【図４】
0004540599.tif 000005
【図５】
0004540599.tif 000006
【図６】
0004540599.tif 000007
【図７】
0004540599.tif 000008